【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
画像をブロックに分割し、分割されたブロック単位で符号化を行う画像符号化装置であって、
前記画像を所定サイズの矩形に再帰的に分割して符号化対象ブロックを生成するブロック分割部と、
符号化対象ブロックのブロック分割情報を符号化する符号化部とを備え、
前記ブロック分割部は、
再帰的分割における対象ブロックを水平方向かつ垂直方向に４分割して４つのブロックを生成する４分割部と、
再帰的分割における対象ブロックを水平方向又は垂直方向に２分割して２つのブロックを生成する２分割部とを含み、
前記２分割部は、前回の再帰的分割が２分割である場合、前回の再帰的分割においてブロックが分割された方向と同一の方向で今回の再帰的分割の対象ブロックを分割することを禁止する、
ことを特徴とする画像符号化装置。
【請求項２】
前記２分割部は、前回の再帰的分割が２分割であり、対象ブロックが所定の大きさ以下である場合に、前回の再帰的分割においてブロックが分割された方向と同一方向で今回の再帰的分割の対象ブロックを分割することを禁止する、
ことを特徴とする請求項１に記載の画像符号化装置。
【請求項３】
前記２分割部は、前回の再帰的分割が２分割であり、前回の再帰的分割においてブロックが分割された方向が垂直方向である場合に、前回の再帰的分割においてブロックが分割された方向と同一方向で今回の再帰的分割の対象ブロックを分割することを禁止する、
ことを特徴とする請求項１に記載の画像符号化装置。
【請求項４】
画像をブロックに分割し、分割されたブロック単位で符号化を行う画像符号化装置であって、
前記画像を所定サイズの矩形に再帰的に分割して符号化対象ブロックを生成するブロック分割部と、
符号化対象ブロックのブロック分割情報を符号化する符号化部とを備え、
前記ブロック分割部は、
再帰的分割における対象ブロックを水平方向かつ垂直方向に４分割して４つのブロックを生成する４分割部と、
再帰的分割における対象ブロックを水平方向又は垂直方向に２分割して２つのブロックを生成する２分割部とを含み、
前記ブロック分割部は、前々回の再帰的分割が２分割であり、前回の再帰的分割が４分割である場合、対象ブロックのさらなる分割を禁止する、
ことを特徴とする画像符号化装置。
【請求項５】
画像をブロックに分割し、分割されたブロック単位で符号化を行う画像符号化方法であって、
前記画像を所定サイズの矩形に再帰的に分割して符号化対象ブロックを生成するブロック分割ステップと、
符号化対象ブロックのブロック分割情報を符号化する符号化ステップとを有し、
前記ブロック分割ステップは、
再帰的分割における対象ブロックを水平方向かつ垂直方向に４分割して４つのブロックを生成する４分割ステップと、
再帰的分割における対象ブロックを水平方向又は垂直方向に２分割して２つのブロックを生成する２分割ステップとを含み、
前記２分割ステップは、前回の再帰的分割が２分割である場合、前回の再帰的分割においてブロックが分割された方向と同一の方向で今回の再帰的分割の対象ブロックを分割することを禁止する、
ことを特徴とする画像符号化方法。
【請求項６】
画像をブロックに分割し、分割されたブロック単位で符号化を行う画像符号化プログラムであって、
前記画像を所定サイズの矩形に再帰的に分割して符号化対象ブロックを生成するブロック分割ステップと、
符号化対象ブロックのブロック分割情報を符号化する符号化ステップとをコンピュータに実行させ、
前記ブロック分割ステップは、
再帰的分割における対象ブロックを水平方向かつ垂直方向に４分割して４つのブロックを生成する４分割ステップと、
再帰的分割における対象ブロックを水平方向又は垂直方向に２分割して２つのブロックを生成する２分割ステップとを含み、
前記２分割ステップは、前回の再帰的分割が２分割である場合、前回の再帰的分割においてブロックが分割された方向と同一の方向で今回の再帰的分割の対象ブロックを分割することを禁止する、
ことを特徴とする画像符号化プログラム。
【請求項７】
画像を分割したブロック単位で復号化を行う画像復号化装置であって、
画像を分割したブロックのブロック分割情報を復号化する復号化部と、
復号化された再帰的な前記ブロック分割情報に基づいて、復号化対象ブロックを生成するブロック分割部と、を備え、
前記ブロック分割部は、
再帰的分割における対象ブロックを水平方向かつ垂直方向に４分割して４つのブロックを生成する４分割部と、
再帰的分割における対象ブロックを水平方向又は垂直方向に２分割して２つのブロックを生成する２分割部とを含み、
前記復号化部は、前回の再帰的分割が２分割である場合、前回の再帰的分割においてブロックが分割された方向と同一の方向で今回の再帰的分割の対象ブロックを分割するかどうかを示すフラグを復号化しない、
ことを特徴とする画像復号化装置。
【請求項８】
画像を分割したブロック単位で復号化を行う画像復号化装置であって、
画像を分割したブロックのブロック分割情報を復号化する復号化部と、
復号化された再帰的な前記ブロック分割情報に基づいて、復号化対象ブロックを生成するブロック分割部と、を備え、
前記ブロック分割部は、
再帰的分割における対象ブロックを水平方向かつ垂直方向に４分割して４つのブロックを生成する４分割部と、
再帰的分割における対象ブロックを水平方向又は垂直方向に２分割して２つのブロックを生成する２分割部とを含み、
前記復号化部は、前々回の再帰的分割が２分割であり、前回の再帰的分割が４分割である場合、対象ブロックをさらに分割するかどうかを示すフラグを復号化しない、
ことを特徴とする画像復号化装置。
【請求項９】
画像を分割したブロック単位で復号化を行う画像復号化方法であって、
画像を分割したブロックのブロック分割情報を復号化する復号化ステップと、
復号化された再帰的な前記ブロック分割情報に基づいて、復号化対象ブロックを生成するブロック分割ステップと、を有し、
前記ブロック分割ステップは、
再帰的分割における対象ブロックを水平方向かつ垂直方向に４分割して４つのブロックを生成する４分割ステップと、
再帰的分割における対象ブロックを水平方向又は垂直方向に２分割して２つのブロックを生成する２分割ステップとを含み、
前記復号化ステップは、前回の再帰的分割が２分割である場合、前回の再帰的分割においてブロックが分割された方向と同一の方向で今回の再帰的分割の対象ブロックを分割するかどうかを示すフラグを復号化しない、
ことを特徴とする画像復号化方法。
【請求項１０】
画像を分割したブロック単位で復号化を行う画像復号化プログラムであって、
画像を分割したブロックのブロック分割情報を復号化する復号化ステップと、
復号化された再帰的な前記ブロック分割情報に基づいて、復号化対象ブロックを生成するブロック分割ステップと、をコンピュータに実行させ、
前記ブロック分割ステップは、
再帰的分割における対象ブロックを水平方向かつ垂直方向に４分割して４つのブロックを生成する４分割ステップと、
再帰的分割における対象ブロックを水平方向又は垂直方向に２分割して２つのブロックを生成する２分割ステップとを含み、
前記復号化ステップは、前回の再帰的分割が２分割である場合、前回の再帰的分割においてブロックが分割された方向と同一の方向で今回の再帰的分割の対象ブロックを分割するかどうかを示すフラグを復号化しない、
ことを特徴とする画像復号化プログラム。